(57)【要約】【課題】ユーザーの満足度を向上させたエンコーダ管理システム、エンコーダ制御装置、エンコーダ管理方法、及びプログラムを提供する。【解決手段】少なくとも一つのエンコーダを含む放送受信装置を複数有し、予め決められたルールに基づき、複数の前記エンコーダの中から一のエンコーダを選択し、前記一のエンコーダに対して、番組の録画又は視聴を予約するエンコーダ制御装置を有する。【選択図】図１
2011147073.tif 000002
【特許請求の範囲】
【請求項１】
少なくとも一つのエンコーダを含む放送受信装置を複数有し、
予め決められたルールに基づき、複数の前記エンコーダの中から一のエンコーダを選択し、
前記一のエンコーダに対して、番組の録画又は視聴を予約するエンコーダ制御装置を有することを特徴とするエンコーダ管理システム。
【請求項２】
請求項１において、前記予め決められたルールとは、前記複数のエンコーダのうち互いに同一のエンコーダを選択し、シリーズ番組を予約することを含むことを特徴とするエンコーダ管理システム。
【請求項３】
請求項１又は請求項２において、前記予め決められたルールとは、前記複数のエンコーダのうち互いに同一のエンコーダを選択し、互いに同一のキーワードによって抽出された複数の番組を予約することを含むことを特徴とするエンコーダ管理システム。
【請求項４】
請求項１から３の何れか一項において、予約時または録画済みと同様の画質で録画可能な空き放送受信装置を有することを特徴とするエンコーダ管理システム。
【請求項５】
請求項１から３の何れか一項において、前記放送受信装置が１つの室内に配置されていることを特徴とするエンコーダ管理システム。
【請求項６】
請求項１から３の何れか一項において、映像配信可能な空き放送受信装置を有することを特徴とするエンコーダ管理システム。
【請求項７】
請求項１から３の何れか一項において、ＴＳ入出力可能な空き放送受信装置を有することを特徴とするエンコーダ管理システム。
【請求項８】
エンコーダ管理システムに用いられ、予め決められたルールに基づき、少なくとも一つのエンコーダを含む複数の放送受信装置の中から一のエンコーダを選択し、
前記一のエンコーダに対して、番組の録画又は視聴を予約することを特徴とするエンコーダ制御装置。
【請求項９】
エンコーダ管理システムに用いられ、予め決められたルールに基づき、少なくとも一つのエンコーダを含む複数の放送受信装置の中から一のエンコーダを選択し、
前記一のエンコーダに対して、番組の録画又は視聴を予約することを特徴とするエンコーダ管理方法。
【請求項１０】
少なくとも一つのエンコーダを含む複数の放送受信装置と、エンコーダ制御装置とを有するエンコーダ管理システムのコンピュータに、
予め決められたルールに基づき、複数の前記エンコーダの中から一のエンコーダを選択する手順、
前記一のエンコーダに対して、番組の録画又は視聴を予約させる手順、
を実行させることを特徴とするプログラム。
【発明の詳細な説明】
【技術分野】
【０００１】
本発明は、エンコーダ管理システム、エンコーダ制御装置、エンコーダ管理方法、及びプログラムに関する。
【背景技術】
【０００２】
テレビジョン放送やインターネット放送の録画もしくは視聴の予約のスケジューリングを一元管理し、複数台の録画機器で予約を共有していた（例えば、特許文献１参照。）。
【０００３】
特許文献１に記載の発明は、放送される番組を複数のチャネルより録画し、蓄積する放送蓄積システムの発明であって、番組の録画予約を指示されると、番組の録画予約を設定し、番組が放送される時刻になると番組を録画する従属装置と、従属装置および自装置がそれぞれ録画予約している番組を把握しており、録画すべき番組が定められると、同一装置において同一時刻に複数の録画予約が設定されないように番組を録画する装置を選択し、自装置を選択した場合には自装置にて録画予約を設定し、いずれかの従属装置を選択した場合には従属装置に該番組の録画予約を指示し、自装置に録画予約された番組が放送される時刻になると番組を録画する主装置とを有している。
【０００４】
特許文献１に記載の主装置は、予約無しで番組の録画開始を指示されると、自装置および従属装置の中で、その時点で録画を行っておらず、録画予約された最初の録画開始時刻までの時間が最も長い装置にて録画することを決定し、自装置に決定した場合には番組の録画を開始し、いずれかの従属装置に決定した場合には従属装置に番組の録画開始を指示し、従属装置は、録画開始の指示を受けると、指示された番組の録画を即座に開始する。
【０００５】
特許文献１に記載の発明によれば、ユーザーはリアルタイムで番組を視聴するのと同じ操作感で過去の番組を視聴することができ、時刻を進めたり、戻したりすることもできるので、番組を視聴する場合の操作性が向上するとしている。
【先行技術文献】
【特許文献】
【０００６】
【特許文献１】特許第３９５０６３２号公報
【発明の概要】
【発明が解決しようとする課題】
【０００７】
エンコーダを有し、ネットワークに接続する放送受信装置や録画装置は、世代や装置のグレードの違いにより機能差分が想定される。
【０００８】
ここで、エンコーダとは、受信した放送信号から所望のチャネルの信号を抽出するチューナで得られた、チャネルの信号を符号化して番組データを生成する装置である。
【０００９】
また、現在、著作権法や不正競争防止法等によるコンテンツ保護の観点から、各装置間でのデータを自由に書き込んだり書き換えたりすることができないため、録画コンテンツを予約する際、ユーザーは、それぞれの装置に対応する記録媒体や画質等を考慮し、予約を割り振る必要がある。
特に、シリーズ番組の録画は、同一機器に予約を振り分けることが望ましい。
ここで、シリーズ番組とは、続き物として制作された内容の番組であり、番組名の連番や、デジタル放送における番組配列情報のシリーズ記述子などによって識別される。
番組配列情報とは、放送データストリームの分配システム、内容、スケジュール／タイミングなどを記述するデジタルデータである。
【００１０】
しかしながら、通常の技術では、放送受信装置のスケジューリングに比重が置かれており、番組に応じて明示的にどの機器に振り分けるのかについては考慮されていなかった。
このため、シリーズ番組が異なる機器に録画されることがあり、ユーザーが録画番組を視聴する際にはその都度機器を切り替える煩わしさがあり、機器が異なることによる画質や画像サイズの差があり、十分な満足感が得られないことがあった。
【００１１】
そこで、本発明の目的は、ユーザーの満足度を向上させたエンコーダ管理システム、エンコーダ制御装置、エンコーダ管理方法、及びプログラムを提供することにある。
【課題を解決するための手段】
【００１２】
本発明の第１の装置は、少なくとも一つのエンコーダを含む放送受信装置を複数有し、予め決められたルールに基づき、複数の前記エンコーダの中から一のエンコーダを選択し、前記一のエンコーダに対して、番組の録画又は視聴を予約するエンコーダ制御装置を有することを特徴とする。
【００１３】
本発明の第２の装置は、エンコーダ管理システムに用いられ、予め決められたルールに基づき、少なくとも一つのエンコーダを含む複数の放送受信装置の中から一のエンコーダを選択し、前記一のエンコーダに対して、番組の録画又は視聴を予約することを特徴とする。
【００１４】
本発明の方法は、エンコーダ管理システムに用いられ、予め決められたルールに基づき、少なくとも一つのエンコーダを含む複数の放送受信装置の中から一のエンコーダを選択し、前記一のエンコーダに対して、番組の録画又は視聴を予約することを特徴とする。
【００１５】
本発明のプログラムは、少なくとも一つのエンコーダを含む複数の放送受信装置と、エンコーダ制御装置とを有するエンコーダ管理システムのコンピュータに、予め決められたルールに基づき、複数の前記エンコーダの中から一のエンコーダを選択する手順、前記一のエンコーダに対して、番組の録画又は視聴を予約させる手順、を実行させることを特徴とする。
【発明の効果】
【００１６】
本発明によれば、ユーザーの満足度を向上させたエンコーダ管理システム、エンコーダ制御装置及びエンコーダ管理方法の提供を実現することができる。
【図面の簡単な説明】
【００１７】
【図１】本発明に係るエンコーダ管理システムの一実施の形態を示す概念図である。
【図２】図１に示したエンコーダ管理システムのブロック図の一例である。
【図３】図２に示したエンコーダ管理システム１０に用いられる主放送受信装置１１のブロック図の一例である。
【図４】図２に示したエンコーダ管理システム１０に用いられる従属放送受信装置１２−１〜１２−ｎのブロック図の一例である。
【図５】図１に示したエンコーダ管理システムの動作を示すフローチャートの一例である。
【図６】図５に示したステップＳ２を詳しく説明するためのフローチャートの一例である。
【図７】図１に示したエンコーダ管理システムの動作を示すフローチャートの他の一例である。
【発明を実施するための形態】
【００１８】
本発明の実施の形態について図を参照して説明する。
＜構  成＞
図１は、本発明に係るエンコーダ管理システムの一実施の形態を示す概念図である。
エンコーダ管理システムは、放送受信装置１１、１２−１〜１２−ｎ、視聴端末１３、及びエンコーダ制御装置１４を有する。
エンコーダ制御装置１４は、リソース管理部４１、予約管理部４２、及びエンコーダ使用優先度判定部４３を有する。リソース管理部４１は、エンコーダごとのリソース制限のデータベースを有する。予約管理部４２はエンコーダごとの予約番組データベースを有する。
【００１９】
これらリソース管理部４１、予約管理部４２、及びエンコーダ使用優先度判定部４３は、例えば、パーソナルコンピュータに含まれる。すなわち、リソース管理部４１、及び予約管理部４２はハードディスク等の記憶手段と制御プログラムの一部で実現され、エンコーダ使用優先度判定部４３は、制御プログラムの一部で実現される。
【００２０】
ここで、各機器はネットワーク接続されるものとする。
ユーザーが放送受信装置のリソース制限を把握し、リソース管理するため、放送受信装置ごとのリソース制限データベースを作成する（データベースの属性例：地上波／ＢＳ／ＣＳ／ＣＡＴＶ、契約情報、映像配信可否、視聴端末有無、設置場所、ＴＳ入出力可否、録画可否、録画可能画質、対応記録媒体、媒体書き込みモード等）。
【００２１】
ＢＳとはBroadcasting Satellitesの略であり、放送衛星を意味する。ＣＳとはCommunication Satellitesの略であり、通信衛星を意味する。ＣＡＴＶとはCommunity Antenna TeleVisionの略であり、テレビジョンの有線放送サービスを意味する。
【００２２】
各放送受信装置のリソース制限を保持し、ネットワーク接続時にリソース管理部４１へ自動で渡すことも想定される。
【００２３】
図２は、図１に示したエンコーダ管理システムのブロック図の一例である。
図２において、１０は放送受信システムであり、主放送受信装置１１及び複数の従属放送受信装置１２−１〜１２−ｎを有する。主放送受信装置１１は、視聴端末としてのテレビジョン受像機（以下、ＴＶと表記）１３に接続されている。主放送受信装置１１及び従属放送受信装置１２−１〜１２−ｎは、エンコーダ制御装置としてのパーソナルコンピュータ（以下、ＰＣと表記）１４及びアンテナ１５に接続されている。
【００２４】
また、主放送受信装置１１と従属放送受信装置１２とは通信回線１６で接続されている。通信回線１６には更にＰＣ１４が接続されてもよい。
【００２５】
図３は、図２に示したエンコーダ管理システム１０に用いられる主放送受信装置１１のブロック図の一例である。
図３において、主放送蓄積装置１１は、チューナ２１、エンコーダ２２、記憶部２３、制御部２４、通信処理部２５、セレクタ２６及びデコーダ２７より構成される。
【００２６】
チューナ２１は、アンテナ１５からの信号より所望のチャネルの信号を抽出する回路である。
【００２７】
エンコーダ２２は、チューナ２１で抽出されたチャネルの画像及び音声信号を符号化し、画像及び音声データとして出力する回路である。符号化方式は、例えばＭＰＥＧ２（1995年７月にISO/IEC JTC 1のMoving Picture Experts Groupによってきめられた標準規格である。）等が挙げられる。
【００２８】
記憶部２３は、エンコーダ２２で符号化された画像及び音声データを記憶する回路であり、例えばＨＤＤ(Hard Disk Drive)もしくはフラッシュメモリが挙げられる。
【００２９】
通信処理部２５は、通信回線１６を介して制御情報の送受信及び画像及び音声データの受信を行う回路である。
【００３０】
制御部２４は、通信処理部２５が通信回線１６を介して送受信する制御情報の生成及び解析を行うとともに、チューナ２１、エンコーダ２２、記憶部２３等の各部の動作を制御する回路であり、例えば、マイクロプロセッサが挙げられる。
【００３１】
セレクタ２６は、記憶部２３に記憶された画像データ及び音声データと、通信処理部２５で受信した画像データ及び音声データとのいずれかを選択する回路であり、例えば、アナログスイッチやマルチプレクサが挙げられる。
【００３２】
デコーダ２７は、セレクタ２６より入力された画像及び音声データを復号化して、番組の映像及び音声を出力する出力装置であるＴＶ１３に入力する回路である。
【００３３】
図４は、図２に示したエンコーダ管理システム１０に用いられる従属放送受信装置１２−１〜１２−ｎのブロック図の一例である。
図４において、従属放送受信装置１２は、チューナ３１、エンコーダ３２、記憶部３３、制御部３４及び通信処理部３５を有する。
【００３４】
チューナ３１は、アンテナ１５からの放送信号より所望のチャネルの信号を抽出する回路である。
【００３５】
エンコーダ３２は、チューナ３１で抽出されたチャネルの画像信号及び音声信号を符号化し、画像データ及び音声データとして出力する。符号化方式は、例えばＭＰＥＧ２等が挙げられる。
【００３６】
記憶部３３は、エンコーダ３２で符号化された画像データ及び音声データを記憶する回路であり、例えば、ＨＤＤもしくはフラッシュメモリが挙げられる。
【００３７】
通信処理部３５は、通信回線１６を介して制御情報の送受信及び画像及び音声データの送信を行う。
【００３８】
制御部３４は、通信処理部３５が通信回線１６を介して送受信する制御情報の生成及び解析を行うとともに、チューナ３１、エンコーダ３２、記憶部３３等の各部の動作を制御する回路であり、例えばマイクロプロセッサが挙げられる。
【００３９】
なお、本実施形態では、主放送受信装置１１と従属放送受信装置１２とは互いに構成の異なる装置としたが、兼用可能な同一構成の装置としてもよい。
【００４０】
次に、エンコーダ管理システム１０の動作について図を参照して説明する。
＜動  作  １＞
図５は、図１に示したエンコーダ管理システムの動作を示すフローチャートの一例である。
図５において、ユーザーによって視聴端末（ＴＶ１３）から予約管理部４２（図１参照）にアクセスし、予約変更（投入・削除・修正）を行うと（ステップＳ１）、ＰＣ１４の図示しないＣＰＵ(Central Processing Unit)は、本願の特徴であるエンコーダ使用優先度判定部４３（図１参照）にてエンコーダ使用優先度を判定する（ステップＳ２）。
【００４１】
ＰＣ１４のＣＰＵ（以下、ＣＰＵと表記）は、判定結果を元に、予約を更新し、視聴端末（ＴＶ１３）にその旨を表示する（ステップＳ３）。
【００４２】
エンコーダ管理システム１０の各放送受信装置１１、１２−１〜１２−ｎは予約直前の待機状態になる（ステップＳ４）。
【００４３】
ＣＰＵは、予約実行可能か否かを判定する（ステップＳ５）。ＣＰＵは、予約実行可能であると判定すると（ステップＳ５／ＹＥＳ）、予約を実行し（ステップＳ６）、予約実行可能でないと判定すると（ステップＳ５／ＮＯ）、ステップＳ２に戻る。
【００４４】
図６は、図５に示したステップＳ２を詳しく説明するためのフローチャートの一例である。
【００４５】
図６において、ステップＳ１（図５参照）に続き、ＣＰＵは投入した予約がシリーズ番組であるか否かを判定し（ステップＳ１００）、シリーズ番組であると判定した場合（ステップＳ１００／ＹＥＳ）、ＣＰＵは過去に予約実績が有るか否かを判定する（ステップＳ１０１）。
【００４６】
ＣＰＵは過去に予約実績が有ると判定した場合（ステップＳ１０１／ＹＥＳ）、予約実績が有る放送受信装置で予約が重複過多か否かを判定し（ステップＳ１０２）、予約が重複過多であると判定した場合（ステップＳ１０２／ＹＥＳ）、視聴予約が有るか否かを判定する（ステップＳ１０３）。
本発明に置いて、重複過多とは、各放送受信装置に対し、予約を実行可能な数よりも、割り当てられた予約数が多い時間帯が生じる状態を意味する。
【００４７】
ＣＰＵは視聴予約が有ると判定した場合（ステップＳ１０３／ＹＥＳ）、同室内に放送受信装置が有るか否かを判定し（ステップＳ１０４）、同室内に放送受信装置が無いと判定した場合（ステップＳ１０１／ＮＯ）、映像配信可能な放送受信装置が有るか否かを判定する（ステップＳ１０５）。
【００４８】
ＣＰＵは映像配信可能な放送受信装置が無いと判定した場合（ステップＳ１０５／ＮＯ）、録画予約可能な放送受信装置が有るか否かを判定する（ステップＳ１０６）。
【００４９】
ＣＰＵは録画予約可能な放送受信装置が無いと判定した場合（ステップＳ１０６／ＮＯ）、他に視聴予約可能な放送受信装置が有るか否かを判定する（ステップＳ１０７）。
【００５０】
ＣＰＵは他に視聴予約可能な放送受信装置が無いと判定した場合（ステップＳ１０７）予約不可と判定し（ステップＳ１１２）、ステップＳ３へ進む。
【００５１】
ＣＰＵは投入した予約がシリーズ番組ではないと判定した場合（ステップＳ１００／ＮＯ）、もしくは過去に予約実績が無いと判定した場合（ステップＳ１０１／ＮＯ）、番組を受信可能な空き放送受信装置を選定し、該当する空き放送受信装置にて予約可能と判定し（ステップＳ１１３）、ステップＳ３（図５参照）へ進む。
【００５２】
ＣＰＵは予約実績が有る放送受信装置で予約が重複過多ではないと判定した場合（ステップＳ１０２）、該当する空き放送受信装置にて予約可能と判定し（ステップＳ１１３）、ステップＳ３へ進む。
【００５３】
ＣＰＵは視聴予約が無いと判定した場合（ステップＳ１０３／ＮＯ）、ＴＳ入出力可能な放送受信装置が有るか否かを判定し（ステップＳ１０８）、ＴＳ入出力可能な放送受信装置が無いと判定した場合（ステップＳ１０８／ＮＯ）、媒体書き出し可能な放送受信装置が有るか否かを判定する（ステップＳ１０９）。
【００５４】
ＣＰＵは媒体書き出し可能な放送受信装置が無いと判定した場合（ステップＳ１０９／ＮＯ）、予約時における放送受信装置の画質または録画済みの放送受信装置の画質と同様の画質で録画可能な空き放送受信装置が有るか否かを判定する（ステップＳ１１０）。
【００５５】
ＣＰＵは予約時における放送受信装置の画質または録画済みの放送受信装置の画質と同様の画質で録画可能な空き放送受信装置が無いと判定した場合（ステップＳ１１０／ＮＯ）、他に録画可能な放送受信装置が有るか否かを判定する（ステップＳ１１１）。
【００５６】
ＣＰＵは同室内に放送受信装置が有ると判定した場合（ステップＳ１０４／ＹＥＳ）、映像配信可能な放送受信装置が有ると判定した場合（ステップＳ１０５／ＹＥＳ）、録画予約可能な放送受信装置が有ると判定した場合（ステップＳ１０６／ＹＥＳ）、他に視聴予約可能な放送受信装置が有ると判定した場合（ステップＳ１０７／ＹＥＳ）、ＴＳ入出力可能な放送受信装置が有ると判定した場合（ステップＳ１０８／ＹＥＳ）、媒体書き出し可能な放送受信装置が有ると判定した場合（ステップＳ１０９／ＹＥＳ）、予約時における放送受信装置の画質または録画済みの放送受信装置の画質と同様の画質で録画可能な空き放送受信装置が有ると判定した場合（ステップＳ１１０／ＹＥＳ）、もしくは他に録画予約可能な放送受信装置が有ると判定した場合（ステップＳ１１１／ＹＥＳ）、該当する空き放送受信装置にて予約可能と判定し（ステップＳ１１３）、ステップＳ３（図５参照）へ進む。
以上の動作により、シリーズ番組を同一の機器に録画することができる。
【００５７】
＜動  作  ２＞
図７は、図１に示したエンコーダ管理システムの動作を示すフローチャートの他の一例である。
前提として、予約管理部４１（図５参照）にて、どのようにして予約が投入されたか保持されていること（予約経路がおまかせ録画の場合、キーワードとセットで保持され、予約経路が番組表のキーワード検索の場合、キーワードとセットで保持されていること）。また、お気に入り番組表に番組名が登録されている場合は、当該番組のカテゴリー（ドラマ、映画、バラエティ、ニュース、教養、音楽、スポーツ、ドキュメンタリー等）が保持されていることを前提とする。
【００５８】
ここで、「お気に入り番組表」とは、番組表のキーワード検索で同一キーワードにより抽出した過去の予約実績に基づいて放送受信装置が作成するユーザー専用の番組表であり、ソフトウェア形式で書き換え可能な記憶装置に記憶される。
【００５９】
ここで、「おまかせ録画」とは放送受信装置に「キーワード」を登録しておくことにより、放送受信装置登録されたキーワードを含む番組を自動的に検索して抽出して録画する機能であり、「自動録画」もしくは「おまかせ予約」ともいう。
【００６０】
図７において、ステップＳ１（図５参照）に続き、ＣＰＵは投入した予約がシリーズ番組であるか否かを判定し（ステップＳ２００）、投入した予約がシリーズ番組であると判定した場合（ステップＳ２００／ＹＥＳ）、過去に予約実績が有るか否かを判定する（ステップＳ２０１）。
【００６１】
ＣＰＵは投入した予約がシリーズ番組ではないと判定した場合（ステップＳ２００／ＮＯ）、もしくは過去に予約した実績が無いと判定した場合（ステップＳ２０１／ＮＯ）、おまかせ録画で同一キーワードにより抽出される過去の予約実績が有る否かを判定する（ステップＳ２０２）。
【００６２】
ＣＰＵはおまかせ録画で同一キーワードにより抽出される過去の予約実績が無いと判定した場合（ステップＳ２０２／ＮＯ）、番組表のキーワード検索で同一キーワードにより抽出した過去の予約実績が有るか否かを判定する（ステップＳ２０３）。
【００６３】
ＣＰＵは番組表のキーワード検索で同一キーワードにより抽出した過去の予約実績が無いと判定した場合（ステップＳ２０３／ＮＯ）、お気に入り番組表に登録された同一キーワードにより過去の予約実績が有るか否かを判定する（ステップＳ２０４）。
【００６４】
ＣＰＵはお気に入り番組表に登録された同一キーワードにより過去の予約実績が無いと判定した場合（ステップＳ２０４／ＮＯ）、関連性の無いコンテンツとみなし（ステップＳ２１８）、番組を受信可能な空き放送受信装置を選定し（ステップＳ２１９）、該当する空き放送受信装置にて予約可能と判定し（ステップＳ２１７）、ステップＳ３（図５参照）へ進む。
【００６５】
ＣＰＵは過去に予約した実績が有ると判定した場合（ステップＳ２０１／ＹＥＳ）、おまかせ録画で同一キーワードにより抽出される過去の予約実績が有ると判定した場合（ステップＳ２０２／ＹＥＳ）、番組表のキーワード検索で同一キーワードにより抽出した過去の予約実績が有ると判定した場合（ステップＳ２０３／ＹＥＳ）、もしくはお気に入り番組表に登録された同一キーワードにより過去の予約実績が有ると判定した場合（ステップＳ２０４／ＹＥＳ）、関連性の有るコンテンツとみなし（ステップＳ２０５）、予約実績が有る放送受信装置で予約が重複過多か否かを判定する（ステップＳ２０６）。
【００６６】
以下、ステップＳ２０７〜ステップＳ２１６は、図６に示したフローチャートのステップＳ１０３〜ステップＳ１１２と同様のため、説明を省略する。
【００６７】
以上の動作により、シリーズ番組以外の番組について適用することができる。すなわち、おまかせ録画や番組表のキーワード検索等で、固有名詞（人名、場所、団体名等）を入力して抽出した予約、あるいはお気に入り番組表の同一カテゴリー等、関連性の有る場合に対応することができる。
【００６８】
＜プログラム＞
以上で説明した本発明にかかるエンコーダ管理システムは、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラムにより本発明を実現する場合の説明を以下で行う。
【００６９】
少なくとも一つのエンコーダを含む複数の放送受信装置と、エンコーダ制御装置とを有するエンコーダ管理システムのコンピュータに、
予め決められたルールに基づき、複数のエンコーダの中から一のエンコーダを選択する手順、
一のエンコーダに対して、番組の録画又は視聴を予約させる手順、
を実行させるプログラムが挙げられる。
【００７０】
これにより、プログラムが実行可能なコンピュータ環境さえあれば、どこにおいても本発明にかかるエンコーダ管理システムを実現することができる。
【００７１】
＜記憶媒体＞
このようなプログラムは、コンピュータに読み取り可能な記憶媒体に記憶されていてもよい。
ここで、記憶媒体としては、例えば、ＣＤ−ＲＯＭ（Compact Disc Read Only Memory）、フレキシブルディスク（ＦＤ）、ＣＤ−Ｒ（CD Recordable）、ＤＶＤ（Digital Versatile Disk）などのコンピュータで読み取り可能な記憶媒体、フラッシュメモリ、ＲＡＭ（Random Access Memory）、ＲＯＭ（Read Only Memory）、ＦｅＲＡＭ（強誘電体メモリ）等の半導体メモリやＨＤＤが挙げられる。
【００７２】
なお、上述した実施の形態は、本発明の好適な実施の形態の一例を示すものであり、本発明はそれに限定されることなく、その要旨を逸脱しない範囲内において、種々変形実施が可能である。
【符号の説明】
【００７３】
１０    エンコーダ管理システム
１１    主放送受信装置
１２−１〜１２−ｎ    従属放送受信装置
１３    視聴端末（ＴＶ）
１４    パーソナルコンピュータ（ＰＣ）
１５    アンテナ
１６    通信回線
２１、３１    チューナ
２２、３２    エンコーダ
２３、３３    記憶部
２４、３４    制御部
２５    通信処理部
２６    セレクタ
２７    デコーダ
４１    リソース管理部
４２    予約管理部
４３    エンコーダ使用優先度判定部
【図１】
2011147073.tif 000003
【図２】
2011147073.tif 000004
【図３】
2011147073.tif 000005
【図４】
2011147073.tif 000006
【図５】
2011147073.tif 000007
【図６】
2011147073.tif 000008
【図７】
2011147073.tif 000009